(57)【特許請求の範囲】
【請求項１】
第１の壁と、この第１の壁より低い第２の壁とを有する建物躯体から梁が突出してなるオーバーハング部を有する建物であって、
前記オーバーハング部は前記建物の軒先部分を構成しており、
前記梁は前記第２の壁の上端面に、前記第２の壁と平行にして設けられ、
前記梁は前記第２の壁の厚さと同等な厚さおよび前記第１の壁より第２の壁が低い分の梁成を有する断面矩形であり、
前記梁は、前記オーバーハング部の基端下の前記第２の壁の側端面に設けられた金物で、前記第２の壁と連結され、
前記金物は羽子板ボルトであり、前記第２の壁の側端面に取り付けられる取付部と、ボルトであって前記梁を貫通するとともに上端部が前記梁の上面から突出してナットが締結される延設部と、を有する、
ことを特徴とする建物。
【請求項２】
第１の壁と、この第１の壁より低い第２の壁とを有する建物躯体から梁が突出してなるオーバーハング部を有する建物であって、
前記オーバーハング部はバルコニーを構成しており、
前記梁は前記第２の壁の上端面に、前記第２の壁と平行にして設けられ、
前記梁は、当該梁の長さ方向に連続して、前記第２の壁の厚さと同等な厚さおよび前記第１の壁より第２の壁が低い分の梁成を有する断面矩形であり、
前記梁の突出方向先端側と基端側に前記第２の壁が配置されている、
ことを特徴とする建物。
【請求項３】
請求項１または２に記載の建物において、
前記梁の側面と前記第２の壁の側面との接合部を跨って設けられたガセットで、前記梁と前記第２の壁が連結されている、
ことを特徴とする建物。
【請求項４】
請求項１から３のいずれか一項に記載の建物において、
前記第１の壁および前記第２の壁は壁パネルであり、
前記壁パネルは木質パネルであり、横框と縦框とを矩形状に組み立てるとともに、矩形枠の内部に補助棧材を縦横に組み付け、横框と縦框と補助棧材の両面に面材を貼設してなる、
ことを特徴とする建物。
【発明の詳細な説明】
【技術分野】
【０００１】
本発明は、建物に関する。
【背景技術】
【０００２】
建物の構築においては、建物の工業化が進み、例えば、壁や床、屋根といった構成要素を予め工場にてパネル化しておき、施工現場でこれらのパネルを組み立てることにより、建物を構築するといったパネル工法が知られている。
【０００３】
そして、このようなパネル工法により構築された建物には、例えば、特許文献１に記載されているように、下階部より上方が外部側に突出しているオーバーハング部を有してなるものがある。この建物は、二階部の外壁を、一階部の外壁よりも外部側に所定長さ突出させることで、この二階部をいわゆるオーバーハング部として構成したものである。特許文献１では、通常使用される床パネルの枠体を構成する桟材のせいに比べて比較的大きくした成の桟材を有する床パネルを室内側からオーバーハング部まで延設することが記載されている。これによって、オーバーハング部の強度を確保できる。
【先行技術文献】
【特許文献】
【０００４】
【特許文献１】特開２００４−３１９２号公報
【発明の概要】
【発明が解決しようとする課題】
【０００５】
しかし、このように、前記枠体を構成する桟材のせいを比較的大きくした床パネルを使用すると、オーバーハング部の強度を確保できる一方で、床からの所定の天井高を確保するために、前記枠体を構成する桟材のせいを大きくした分だけ、屋根が高なり、道路斜線制限または隣地斜線制限等を超えてしまう。そのため、二階の天井の高さを一部低くしなければならないことがある。また、同様の問題が、バルコニーのオーバーハング部、屋根のオーバーハング部においても生じ得る。
また、パネル工法に限らず、例えば、在来工法において、２階の床を支持する梁を外壁から突出させてオーバーハング部を構成し、当該梁の梁成を大きくした場合も、同様の問題が生じる。
【０００６】
本発明は、オーバーハング部の強度を確保しつつ、上部構造に影響が及ぶのを抑えられる構造を有する建物を提供することを目的とする。
【課題を解決するための手段】
【０００７】
上記課題を解決するために、請求項１に記載の発明は、例えば、図１〜図４に示すように、
第１の壁１と、この第１の壁１より低い第２の壁２とを有する建物躯体から梁３Ａが突出してなるオーバーハング部３ａを有する建物１００であって、
前記オーバーハング部３ａは前記建物１００の軒先部分３０を構成しており、
前記梁３Ａは前記第２の壁２の上端面に、前記第２の壁２と平行にして設けられ、
前記梁３Ａ，３Ｂは前記第２の壁２の厚さと同等な厚さおよび前記第１の壁１より第２の壁２が低い分の梁成を有する断面矩形であり、
前記梁３Ａは、前記オーバーハング部３ａの基端下の前記第２の壁２の側端面に設けられた金物６で、前記第２の壁２と連結され、
前記金物６は羽子板ボルトであり、前記第２の壁２の側端面に取り付けられる取付部６ａと、ボルトであって前記梁３Ａを貫通するとともに上端部が前記梁３Ａの上面から突出してナット６ｄが締結される延設部６ｂと、を有する、
ことを特徴とする。
【０００８】
請求項１に記載の発明によれば、前記第２の壁２の上端面に、前記第２の壁２と平行にして設けられている前記梁３Ａは前記第２の壁２の厚さと同等な厚さおよび前記第１の壁１より第２の壁２が低い分の梁成を有する断面矩形であるので、梁成を大きくしても、当該梁３Ａの上面を第1の壁１の上端面と同じ高さにできる。したがって、梁３Ａのオーバーハング部３ａの強度を確保しつつ、上部構造に影響が及ぶのを抑えられる。
また、前記オーバーハング部３ａは前記建物１００の軒先部分３０を構成しているので、梁３Ａの強度に合わせた広い軒先部分３０を設けることができる。
また、前記梁３Ａは、前記オーバーハング部３ａの基端下の前記第２の壁２の側端面に設けられた金物６で、前記第２の壁２と連結されているので、前記オーバーハング部３ａをより強固に建物躯体に固定できる。
【０００９】
請求項２に記載の発明は、例えば、図１，図５〜図８に示すように、
第１の壁１と、この第１の壁１より低い第２の壁２とを有する建物躯体から梁３Ｂが突出してなるオーバーハング部３ｂを有する建物１００であって、
前記オーバーハング部３ｂはバルコニー２０を構成しており、
前記梁３Ｂは前記第２の壁２の上端面に、前記第２の壁２と平行にして設けられ、
前記梁３Ｂは、当該梁３Ｂの長さ方向に連続して、前記第２の壁２の厚さと同等な厚さおよび前記第１の壁１より第２の壁２が低い分の梁成を有する断面矩形であり、
前記梁３Ｂの突出方向先端側と基端側に前記第２の壁２が配置されている、
ことを特徴とする。
【００１０】
請求項２に記載の発明によれば、前記第２の壁２の上端面に、前記第２の壁２と平行にして設けられている前記梁３Ｂは前記第２の壁２の厚さと同等な厚さおよび前記第１の壁１より第２の壁２が低い分の梁成を有する断面矩形であるので、梁成を大きくしても、当該梁３Ｂの上面を第1の壁１の上端面と同じ高さにできる。したがって、梁３Ｂのオーバーハング部３ｂの強度を確保しつつ、上部構造に影響が及ぶのを抑えられる。
また、前記オーバーハング部３ｂはバルコニー２０を構成しているので、梁３Ｂの強度に合わせた広いバルコニー２０を設けることができる。
【００１１】
請求項３に記載の発明は、例えば、図２〜図４に示すように、
請求項１または２に記載の建物１００において、
前記梁３Ａ，３Ｂの側面と前記第２の壁２の側面との接合部を跨って設けられたガセット５で、前記梁３Ａ，３Ｂと前記第２の壁２が連結されている、
ことを特徴とする。
【００１２】
請求項３に記載の発明によれば、前記梁３Ａ，３Ｂの側面と前記第２の壁２の側面との接合部を跨って設けられたガセット５で、前記梁３Ａ，３Ｂと前記第２の壁２が連結されているので、梁３Ａ，３Ｂと前記第２の壁２とを強固に連結できる。
【００１７】
請求項４に記載の発明は、例えば、図１、図５に示すように、
請求項１から３のいずれか一項に記載の建物１００において、
前記第１の壁１および前記第２の壁２は壁パネルであり、
前記壁パネル１，２は木質パネルであり、横框２ａと縦框とを矩形状に組み立てるとともに、矩形枠の内部に補助棧材を縦横に組み付け、横框２ａと縦框と補助棧材の両面に面材を貼設してなる、
ことを特徴とする。
【００１８】
請求項４に記載の発明によれば、前記第１の壁１および前記第２の壁２は壁パネルであるので、予め工場で製造された壁パネルを用いることにより、現場での施工工数を減少することができる。
【発明の効果】
【００１９】
本発明によれば、オーバーハング部の強度を確保しつつ、上部構造に影響が及ぶのを抑えられる構造を有する建物を提供することができる。
【図面の簡単な説明】
【００２０】
【図１】本発明に係る建物の一例を示す図であり、壁パネルおよび床パネル等の施工例を示す斜視図である。
【図２】同、図１のＡ部拡大図である。
【図３】同、図２のＩ−Ｉ断面図である。
【図４】同、図２に示す建物の内側から見たオーバーハング部周辺の立面図である。
【図５】同、１階部分の壁パネル並びに床パネル、２階部分の床パネルの等の施工例を示す斜視図である。
【図６】同、図５のＢ部拡大図である。
【図７】同、図６のＩ−Ｉ断面図である。
【図８】同、図６に示す建物の内側から見たオーバーハング部周辺の立面図である。
【発明を実施するための形態】
【００２１】
以下、図面を参照して本発明の実施の形態について説明する。
【００２２】
＜実施の形態＞
図１は、パネル工法による建物１００の構造を示している。パネル工法では、壁パネル、小屋パネル、床パネル、屋根パネル等の木質パネルが用いられる。また、これら各種パネルは、天候や作業者の技量に左右される可能性が高い現場施工ではなく、高品質で安定した性能を実現できる工場で生産されている。前記各種パネルは、主に木質パネルであり、横框と縦框とを矩形状に組み立てるとともに、矩形枠の内部に補助棧材を縦横に組み付け、横框と縦框と補助棧材との両面もしくは片面に、面材を貼設したものである。建物１００は、コンクリートの基礎１０上に床パネルが固定され、この床パネル上に、壁パネル、小屋パネル等が接着剤、金物等を用いて順次固定され、施工される。
【００２３】
（軒先部分）
図１の斜視図の右側に示すように、軒３０ａの出を小さくした場合には、壁パネル１上に小屋壁パネル３１を設置することができる。これに対して、図１の斜視図の左側に示すように、軒先部分３０を大きくし、深い軒の出にすると、風による吹き上げ等に対する強度を確保する必要があるため、軒先部分３０の強度を向上する必要がある。その一方で、夏に高温多湿の際に雨が降っても窓を開け放つことができ、また夏の暑い日差しを遮ることができる。
【００２４】
深い軒の出を設けた場合に、軒先に柱を設け、屋根の荷重を支えることもできる。しかし、本実施の形態では、軒先に柱を設けずに、深い軒の出を設け、この軒先部分３０を支持するオーバーハング部３ａを設ける構造について説明する。
【００２５】
図１、図２に示すように、建物躯体は、壁パネル（本発明の「第１の壁」に相当）１と、この壁パネル１より低い壁パネル（本発明の「第２の壁」に相当）２とを有する。オーバーハング部３ａは、建物１００であって建物躯体から大梁３Ａが突出している部分であり、前記建物１００の軒先部分３０を構成している。この大梁３Ａは前記壁パネル２の上端面に、前記壁パネル２と平行にして設けられている。
【００２６】
また、図２〜図４に示すように、前記大梁３Ａの側面と前記壁パネル２の側面との接合部を跨って設けられた鋼製ガセット５を用いて、前記大梁３Ａと前記壁パネル２が両側面において連結されている。鋼製ガセット５は、前記大梁３Ａと前記壁パネル２に、接着剤４と丸釘８ａとで、取り付けられている。前記大梁３Ａの下面と前記壁パネル２の上端面との接合部は接着剤４でも固定されている。前記壁パネル２の側端面に沿って半割材７が固定されている。前記大梁３Ａと壁パネル２の側端面とは、前記オーバーハング部３ａの基端下に設けられた羽子板ボルト６（本発明の「金物」に相当）で、前記半割材７を介して、連結されている。羽子板ボルト６は、取付部６ａとボルトである延設部６ｂとを有している。取付部６ａが前記壁パネル２の側端面の半割材７にスクリュー釘８で取り付けられている。この取付部６ａから上方に延設された延設部６ｂが、前記大梁３Ａに設けられた孔の下方から上方に挿通され、前記延設部６ｂの先端が前記大梁３Ａの上面から突出している。前記大梁３Ａは、前記大梁３Ａの上面から突出している延設部６ｂに座金６ｃとナット６ｄでボルト接合されている。これにより、風による吹き上げに対する強度を確保することができる。
【００２７】
また、前記大梁３Ａは前記壁パネル２の厚さと同等な厚さおよび前記第１の壁１より壁パネル２が低い分の梁成を有する断面矩形である。このように、前記大梁３Ａの厚さと梁成を設定することにより、高さについては、壁パネル１の上端面と大梁３Ａの上面との高さが等しくなる。また、平面視において、壁パネル２を用いた部分およびオーバーハング部３ａにおいても、壁パネル１の厚さと同じ厚さとなる。よって、オーバーハング部３ａを除いた部分では、小屋壁パネル３２等の屋根部材に対して特別な加工を施す必要はなく、従前通りに屋根の施工が可能となる。
【００２８】
例えば、図４に示すように、オーバーハング部３ａでは、大梁３Ａの上面に小屋壁パネル３１を直接配置せずに、大梁３Ａの上面に調整材３１ａを配置している。具体的には、大梁３Ａのオーバーハング部３ａの上面に、平面視において大梁３Ａの短手と同じ幅の調整材３１ａが、接着剤４とスクリュー釘８で固定され、この調整材３１ａの上面に、平面視において大梁３Ａの短手と同じ幅の小屋壁パネル３１の下端面が、接着剤４とスクリュー釘８で固定されている。調整材３１ａは、ナット６ａが位置している羽子板ボルト６の固定部と小屋壁パネル３１が干渉しないような高さを有し、前記固定部と水平方向に間隔を有してオーバーハング部３ａの上面に設けられている。
また、図３に示すように、大梁３Ａの上面と小屋壁パネル３２の下端面とは、接着剤４で固定され、大梁３Ａの上部と小屋壁パネル３２の下部の横框２ａとは、鋼製ガセット５で更に固定されている。鋼製ガセット５は、前記大梁３Ａと前記小屋壁パネル３２に、接着剤４と丸釘８ａとで、取り付けられている。
【００２９】
（バルコニー）
図１に示すように、建物１００に、大きなバルコニー２０を設ける場合、このバルコニー２０を支持するオーバーハング部３ｂを設ける構造について説明する。
【００３０】
図５、図６に示すように、建物躯体は、壁パネル（本発明の「第１の壁」に相当）１と、この壁パネル１より低い壁パネル（本発明の「第２の壁」に相当）２とを有する。オーバーハング部３ｂは、建物１００において建物躯体から大梁３Ｂが突出している部分であり、前記建物１００のバルコニー２０を構成している。この大梁３Ｂは前記壁パネル２の上端面に、前記壁パネル２と平行にして設けられている。
【００３１】
また、図６〜図８に示すように、前記大梁３Ｂの側面と前記壁パネル２の側面との接合部を跨って設けられた鋼製ガセット５を用いて、前記大梁３Ｂと前記壁パネル２が両側面において連結されている。鋼製ガセット５は、前記大梁３Ｂと前記壁パネル２に、接着剤４と丸釘８ａとで、取り付けられている。また、前記大梁３Ｂの下面と前記壁パネル２の上端面との接合部は接着剤４で固定されている。また、前記壁パネル２の側端面に半割材７が接着剤４、スクリュー釘８で固定されている。
【００３２】
また、前記大梁３Ｂは前記壁パネル２の厚さと同等な厚さおよび前記壁パネル１より壁パネル２が低い分の梁成を有する断面矩形である。このように、前記大梁３Ｂの厚さと梁成を設定することにより、高さについては、壁パネル１の上端面と大梁３Ｂの上面との高さが等しくなる。また、平面視において、壁パネル２を用いた部分およびオーバーハング部３ｂにおいても、壁パネル１の厚さと同じ厚さとなる。よって、バルコニー２０のオーバーハング部３ｂにおいても、床パネル２５Ａ，２５Ｂ，２５Ｆについて、従前通りに床の施工が可能となる。よって、オーバーハング部３ｂの強度を向上したことにより、床パネル２５Ａ〜２５Ｆは、通常の構造を有する床パネルを用いることができる。
【００３３】
例えば、図６、図７に示すように、大梁３Ｂのオーバーハング部３ｂの上面に、平面視において大梁３Ｂの短手の半分の幅を有する横框２ａ（床パネル２５Ａ）および横框２ａ（床パネル２５Ｂ）が、互いに接合するように大梁３Ｂの上面に接着剤４とスクリュー釘８で固定されている。また、図８に示すように、床パネル２５Ｂ，２５Ｂの縦框２ｂ，２ｂ上に２階の壁パネル２の横框２ａがスクリュー釘８で固定されている。
【００３４】
本実施の形態によれば、前記壁パネル２の上端面に、前記壁パネル２と平行にして設けられている前記大梁３Ａ，３Ｂは前記壁パネル２の厚さと同等な厚さおよび前記壁パネル１より壁パネル２が低い分の梁成を有する断面矩形であるので、梁成を大きくしても、当該梁３Ａ，３Ｂの上面を第1の壁１の上端面と同じ高さにできる。したがって、大梁３Ａ，３Ｂのオーバーハング部３ａ，３ｂの強度を確保しつつ、上部構造に影響が及ぶのを抑えられる。
【００３５】
また、前記大梁３Ａ，３Ｂの側面と前記壁パネル２の側面との接合部を跨って設けられた鋼製ガセット５で、前記大梁３Ａ，３Ｂと前記壁パネル２が連結されているので、大梁３Ａ，３Ｂと前記壁パネル２とを強固に連結できる。
【００３６】
また、前記オーバーハング部３ｂはバルコニー２０を構成しているので、大梁３Ｂの強度に合わせた広いバルコニー２０を設けることができる。
【００３７】
また、前記大梁３Ａは、前記オーバーハング部３ａの基端下の前記壁パネル２の側端面に設けられた金物６で、前記壁パネル２と連結されているので、前記オーバーハング部３ａをより強固に建物躯体に固定できる。
【００３８】
また、前記オーバーハング部３ａは前記建物１００の軒先部分３０を構成しているので、大梁３Ａの強度に合わせた広い軒先部分３０を設けることができる。
【００３９】
また、予め工場で製造された壁パネル１，２を用いることにより、現場での施工工数を減少することができる。
【００４０】
（変形例）
上記実施の形態においては、パネル工法について説明したが、これに限られない。本発明は、在来工法等にも適用可能である。在来工法等においては、壁パネル２の上端部に大梁３Ａ，３Ｂを固定する代わりに、他の柱（正角材）より低い柱（正角材）の上端部に、大梁３Ａ，３Ｂをスクリュー釘、丸釘、金物等を用いて固定するようにしてもよい。
また、上述のパネル工法においても、壁パネル２の上端部に大梁３Ａ，３Ｂを固定する代わりに、壁パネル１より低い柱（正角材）の上に、大梁３Ａ，３Ｂをスクリュー釘、丸釘、金物等を用いて固定するようにしてもよい。
なお、変形例においては、上記実施の形態で説明した部材等については、説明を省略する。
【符号の説明】
【００４１】
１，２  壁パネル
３Ａ，３Ｂ  大梁
３ａ，３ｂ  オーバーハング部
４  接着剤
５  鋼製ガセット
６  羽子板ボルト
７  半割材
８  スクリュー釘
８ａ  丸釘
１０  基礎
２０  バルコニー
２５Ａ〜２５Ｆ  床パネル
３０  軒先部分
３１，３２  小屋壁パネル
３１ａ  調整材
１００  建物
【図１】
0005749665.tif 000002
【図２】
0005749665.tif 000003
【図３】
0005749665.tif 000004
【図４】
0005749665.tif 000005
【図５】
0005749665.tif 000006
【図６】
0005749665.tif 000007
【図７】
0005749665.tif 000008
【図８】
0005749665.tif 000009